(57)【要約】【解決手段】耕耘軸シール構造のシールカバー手段１２ｂは、耕耘筒７２に取り付けた回転カバー部材１０１と、支持ケース１２ａに取り付けた固定カバー部材１０２とからなる。回転カバー部材１０１は、支持ケース１２ａに向かって拡径する雌円錐部を有す。固定カバー部材１０２は、雌円錐部１０５を囲う雄円錐部を有す。雌円錐部の外面に螺旋溝を形成した。【効果】雌円錐部は、支持ケースに向かって次第に縮径する草の進行の障壁となり、草および草とともに巻き付いた土は侵入し難くなる。シール部材の耐久性の向上を図ることができる。回転する螺旋溝によって雌円錐部の外面に達した草や土の排出を促すことができる。【選択図】        図４
2004236558.tif 000002
【特許請求の範囲】
【請求項１】
支持ケースに軸受を介して耕耘軸を回転可能に支持させ、軸受に向かう異物を阻止するシール部材を前記軸受の外側にて、耕耘軸と支持ケースとの間に介在させ、シール部材に向かう異物を減少させるシールカバー手段を前記シール部材の外側にて、耕耘軸と支持ケースとの間に介在させたロータリ耕耘装置の耕耘軸シール構造であって、
前記シールカバー手段は、耕耘軸に取り付けた回転カバー部材と、支持ケースに取り付けた固定カバー部材とからなり、
前記回転カバー部材は、支持ケースに向かって拡径する雌円錐部を有し、前記固定カバー部材は、前記雌円錐部を囲う雄円錐部を有することを特徴とするロータリ耕耘装置の耕耘軸シール構造。
【請求項２】
前記耕耘軸を耕耘作業のために回したときに、前記雌円錐部に対応する雄側が拡径側から縮径側へ進む螺旋溝を雌円錐部の外面に形成したことを特徴とする請求項１記載のロータリ耕耘装置の耕耘軸シール構造。
【請求項３】
螺旋溝は、山頂部を鋭角に形成したことを特徴とする請求項２記載のロータリ耕耘装置の耕耘軸シール構造。
【請求項４】
前記雌円錐部と前記雄円錐部との間の間隔は、前記シール部材から遠ざかる方向に向かって狭くすることを特徴とする請求項２記載のロータリ耕耘装置の耕耘軸シール構造。
【請求項５】
前記雌円錐部は、外面と端面とでなすエッジ部を鋭角に形成したことを特徴とする請求項２、請求項３又は請求項４記載のロータリ耕耘装置の耕耘軸シール構造。
【発明の詳細な説明】
【０００１】
【発明の属する技術分野】
本発明は耕耘機に設けたロータリ耕耘装置の耕耘軸シール構造に関する。
【０００２】
【従来の技術】
従来の耕耘機の耕耘軸シール構造は、耕耘軸に嵌合したオイルシールへ異物が侵入するのを阻止するカバーをオイルシールの前に配置した構造である（例えば、特許文献１参照。）。
【０００３】
【特許文献１】
実開昭５７−１０２９０２号公報  （第３−４頁、第２図）
【０００４】
特許文献１を、図面を参照の上、詳しく説明する。
図８は従来のロータリ耕耘装置の耕耘爪軸軸支部構造の説明図である（特許文献１の第２図を写したもの。）。
従来の耕耘爪軸軸支部構造は、支持部材２（符号は同公報に記載されたものを流用した。以下同様。）にボールベアリング９およびシール部材５を介して耕耘爪軸４を取り付け、支持部材２の筒状部２ａの筒状部端面１２より内に耕耘爪軸４に取り付けたカバー１を配置することで、カバー１にワラ屑等が巻き付かないようにした。
【０００５】
【発明が解決しようとする課題】
上記図８の構造は、カバー１の端面１１にワラ屑等が巻き付き難くなるが、ワラや草がカバー１の外周筒状部１ａに達すると、外周筒状部１ａ上の移動は容易で、侵入しやすく、ワラや草を除去する頻度が高くなり、手間がかかる。
【０００６】
そこで、本発明の目的は、支持ケースと耕耘軸との間に設けたシール部材に向けて草や土が侵入するのを抑制し、シール部材の耐久性の向上を図るロータリ耕耘装置の耕耘軸シール構造を提供することにある。
【０００７】
【課題を解決するための手段】
上記目的を達成するために請求項１は、支持ケースに軸受を介して耕耘軸を回転可能に支持させ、軸受に向かう異物を阻止するシール部材を軸受の外側にて、耕耘軸と支持ケースとの間に介在させ、シール部材に向かう異物を減少させるシールカバー手段をシール部材の外側にて、耕耘軸と支持ケースとの間に介在させたロータリ耕耘装置の耕耘軸シール構造であって、シールカバー手段は、耕耘軸に取り付けた回転カバー部材と、支持ケースに取り付けた固定カバー部材とからなり、回転カバー部材は、支持ケースに向かって拡径する雌円錐部を有し、固定カバー部材は、雌円錐部を囲う雄円錐部を有することを特徴とする。
【０００８】
支持ケースに向かって拡径する雌円錐部は、支持ケースに向かって次第に縮径する草の進行の障壁となり、草および草とともに巻き付いた土などの異物は侵入し難くなる。従って、シール部材に向けて草や土が侵入するのを抑制し、シール部材の耐久性の向上を図れる。
【０００９】
請求項２では、耕耘軸を耕耘作業のために回したときに、雌円錐部に対応する雄側が拡径側から縮径側へ進む螺旋溝を雌円錐部の外面に形成したことを特徴とする。
【００１０】
耕耘作業を行うと雌円錐部は回転し、同時に螺旋溝も回る。その結果、回転する螺旋溝によって雌円錐部の外面に達した草や土の排出を促すことができる。従って、よりシール部材の耐久性の向上を図れる。
【００１１】
請求項３では、螺旋溝は、山頂部を鋭角に形成したことを特徴とする。
鋭角な山頂部によって、雌円錐部に巻き付いて締まる草を切断することができ、鋭角な山頂部は、雌円錐部に達した草や土の排出の円滑化を図ることができ、草の巻き付きを抑制する。
【００１２】
請求項４では、雌円錐部と雄円錐部との間の間隔は、シール部材から遠ざかる方向に向かって狭くすることを特徴とする。
雌円錐部の外面に形成した螺旋溝の回転によってシール部材から遠ざかる方向に向かって戻された草は狭い所で圧縮作用を受けさらに切断される。その結果、草の巻き付きをより抑制し、草の侵入を抑制する。
【００１３】
請求項５では、雌円錐部は、外面と端面とでなすエッジ部を鋭角に形成したことを特徴とする。
エッジ部を鋭角な形状にすることで、切れ刃とする。鋭角なエッジ部であればより確実に草を切断することができる。すなわち、山頂部で切断できなかった草を最終の端面の所で切断することができ、草の巻き付きをさらに抑制し、草の侵入を抑制する。
【００１４】
【発明の実施の形態】
本発明の実施の形態を添付図に基づいて以下に説明する。なお、図面は符号の向きに見るものとする。
図１は本発明に係る耕耘軸シール構造を採用した歩行型ロータリ耕耘機の斜視図である。図右上の「左」「右」「上」「下」は作業者から見た方向、「前」は前進側、「後」はその逆側をいう。
【００１５】
歩行型ロータリ耕耘機１０（以下では単に「耕耘機１０」と記す。）は、駆動源としてのエンジン１１から動力伝達装置１２を介して左右の走行車輪１３，１４（図３参照）およびこれらの走行車輪１３，１４の前方に配置した左右のロータリ耕耘装置１５，１６へ動力を伝達し、動力伝達装置１２の後部に畝立て装置１７（図２参照）などの作業装置を連結する構造を有した農業機械であり、ロータリ耕耘装置１５，１６で圃場を耕しながら、例えば畝立て装置１７で畝を立てる。
【００１６】
図２は本発明に係る耕耘機の側面図であり、耕耘機１０はまた、機体の上部に配置したエンジン１１と、このエンジン１１の下部に図に示していないクラッチ（クラッチケース１１ａ）を介して取り付けた動力伝達装置１２と、この動力伝達装置１２の前部に回転可能に取り付けたロータリ耕耘装置１５，１６と、動力伝達装置１２の後部に左・右車軸１３ａ，１４ａ（図３参照）を介して回転可能に取り付けた走行車輪１３，１４と、動力伝達装置１２の後部から後方斜め上方に延ばしたハンドル１８と、動力伝達装置１２の後端に取り付けた連結機構２１とからなる。Ｇは走行面を示す。
【００１７】
ここで、３１は動力伝達装置１２の前端部に上下に位置調整可能に取り付けた走行補助輪、３２は動力伝達装置１２およびロータリ耕耘装置１５，１６の上方を覆うフェンダ、３３はエンジン１１の上方を覆うエンジンカバー、３４はエアクリーナ、３５は燃料タンク給油口用キャップ、３６は変速レバー、３７はデフロック用レバー、３８はクラッチレバー、４１は連結機構２１に連結した作業装置を跳ね上げるための跳ね上げレバー、４２は連結機構２１に連結した作業装置の沈み込み位置を調整する沈み込み位置調整レバーである。
【００１８】
図３は本発明に係る耕耘機の平面図であり、耕耘機１０は、ハンドル１８の右側前部に、エンジン１１を始動させるリコイルスタータ用ノブ５１と、エンジン１１の出力を調整するスロットルレバー５２と、前述のデフロック用レバー３７を配置し、ハンドル１８の左側後部にエンジン１１を停止させるエンジンスイッチ５３を取り付け、ハンドル１８の後部にクラッチレバー３８を取り付け、動力伝達装置１２（図１参照）の後部中央から後方へ変速レバー３６を延ばし、連結機構２１の後部左部から後方へ跳ね上げレバー４１を延ばしたことを示す。
【００１９】
図４は図２の４−４線断面図であり、ロータリ耕耘装置１５および動力伝達装置１２を示す。
動力伝達装置１２は、支持ケース１２ａと、支持ケース１２ａ内の第１チェーン６１を介して駆動する中間伝動手段６２（第１・第２鎖歯車６３，６４、第１歯車６５，６５、第２チェーン６６）を有する。
【００２０】
ロータリ耕耘装置１５は、動力伝達装置１２により回転する第１耕耘軸７１と、動力伝達装置１２により回転し且つ支持ケース１２ａと第１耕耘軸７１との間に回転自在に嵌合した耕耘軸（第２耕耘軸）としての耕耘筒７２と、耕耘筒７２と支持ケース１２ａとの間に設けた耕耘軸シール構造のシールカバー手段１２ｂと、第１耕耘軸７１と耕耘筒７２間に設けた軸シール構造７３と、耕耘筒７２に取り付けた内側耕耘爪７４と、第１耕耘軸７１に取り付けた外側耕耘爪７５と、からなる。
【００２１】
耕耘筒７２は、支持ケース１２ａに軸受７２ａを介して取り付けた耕耘軸としての中空軸である。具体的には、内筒７６に外筒７７をボルト７８で固定したもので、内筒７６に設けた第２歯車８１を介して内側耕耘爪７４を走行車輪１３（図１参照）の回転方向ａ（図１参照）と同じ回転方向ｂ（図１参照）に回転させる。７２ｂは軸受７２ａの外側（矢印▲１▼の方向）にて、耕耘筒（耕耘軸）７２と支持ケース１２ａとの間に介在させたシール部材を示す。
【００２２】
なお、第１耕耘軸７１は中央の対称中心線８７を中心にほぼ対称の形状であり、ロータリ耕耘装置１６にも含まれる。
ロータリ耕耘装置１６は、ロータリ耕耘装置１５とほぼ同様であり、ロータリ耕耘装置１６の説明を省略する。
【００２３】
耕耘軸シール構造のシールカバー手段１２ｂは、耕耘筒７２に取り付けた回転カバー部材１０１と、支持ケース１２ａに取り付けた固定カバー部材１０２とからなることを特徴とする。次に詳細に説明する。
【００２４】
図５は図４の５部詳細図であり、シールカバー手段１２ｂの回転カバー部材１０１および固定カバー部材１０２を示す。
回転カバー部材１０１は、耕耘筒７２の端に溶接で取り付けた円板部１０４と、この円板部１０４から連ねて支持ケース１２ａに向かって（矢印▲２▼の方向）拡径する雌円錐部１０５と、からなる。
【００２５】
雌円錐部１０５は、拡径部１０７と、縮径部１０８とを有するとともに、拡径部１０７の直径をＤａ、縮径部１０８の直径をＤｓ、雌円錐部１０５の中心角をθに設定したものである。
【００２６】
固定カバー部材１０２は、支持ケース１２ａに取り付けた取り付け部１１１と、この取り付け部１１１から連ねて形成した回転カバー部材１０１の雌円錐部１０５を囲う雄円錐部１１２と、からなる。
【００２７】
雌円錐部１０５と雄円錐部１１２との間の間隔は、シール部材７２ｂから遠ざかる方向（矢印▲１▼の方向）に向かって狭くする。具体的には、雌円錐部１０５の拡径部１０７と雄円錐部１１２との間の隙間の寸法をＳａ、雌円錐部１０５の縮径部１０８と雄円錐部１１２との間の隙間の寸法をＳｓ（Ｓｓ＜Ｓａ）とした。
【００２８】
図６は本発明に係る回転カバー部材の正面図であり、回転カバー部材１０１の雌円錐部１０５を示す。
雌円錐部１０５はまた、外面１１４に螺旋溝１１６を形成したものである。
螺旋溝１１６は、耕耘筒（耕耘軸）７２を耕耘作業のために回したときに、雌円錐部１０５に対応する雄側であるところの草や土などの異物が拡径部１０７側から縮径部１０８側へ進む（矢印▲１▼の方向）螺旋である。例えば、図１に示す耕耘機１０のロータリ耕耘装置１５側の内側耕耘爪７４を回転方向ｂに回すと、異物は矢印左の方向に進む。一方、ロータリ耕耘装置１６側では、異物は矢印右の方向に進む。
【００２９】
螺旋溝１１６はまた、山頂部１１７を鋭角な角度θｍに形成した溝である。角度θｍは、例えば、６０°に設定した。
螺旋溝１１６の山数や谷の径など螺旋溝の仕様は任意である。
【００３０】
以上に述べたロータリ耕耘装置の耕耘軸シール構造の作用を次に説明する。
図１の耕耘機１０で耕耘作業を行うと、ロータリ耕耘装置１５，１６の回転に伴いロータリ耕耘装置１５，１６に草とともに土などの異物が絡み付くため、図５に示す回転カバー部材１０１および固定カバー部材１０２を設けて、草や土が支持ケース１２ａと耕耘筒７２との間に侵入するのを阻止する。具体的には、回転カバー部材１０１に絡み付いた草や土は、回転カバー部材１０１の雌円錐部１０５上を軸方向（矢印▲２▼の方向）に進み始めると同時に次第に締まる（径が小さくなる）ため、回転カバー部材１０１に雌円錐部１０５を形成すると、円錐によってシール部材７２ｂに接近しつつ締まる草の移動抵抗は次第に大きくなり、草や土は侵入し難くなる。
【００３１】
このように、耕耘軸シール構造のシールカバー手段１２ｂでは、回転カバー部材１０１は、支持ケース１２ａに向かって拡径する雌円錐部１０５を有し、固定カバー部材１０２は、雌円錐部１０５を囲う雄円錐部１１２を有するので、支持ケース１２ａに向かって拡径する雌円錐部１０５は、支持ケース１２ａに向かって次第に縮径する草の進行の障壁となり、草および草とともに巻き付いた土は侵入し難くなる。従って、シール部材７２ｂに向けて草や土が侵入するのを抑制することができ、シール部材７２ｂの耐久性の向上を図ることができる。
【００３２】
図６に示すシールカバー手段１２ｂの回転カバー部材１０１の雌円錐部１０５に草や土が達すると、草や土は雌円錐部１０５の螺旋溝１１６の回転（回転方向ｂ）により侵入方向とは逆方向に押される分力Ｆｇを受け、外側に矢印▲５▼，▲５▼の如く送り出される。
【００３３】
このように、耕耘軸シール構造のシールカバー手段１２ｂでは、耕耘軸（耕耘筒７２）を耕耘作業のために回したときに、雌円錐部１０５に対応する雄側（草や土）が拡径側から縮径側へ進む螺旋溝１１６を雌円錐部１０５の外面１１４に形成したので、回転する螺旋溝１１６によって雌円錐部１０５に達した草や土の排出を矢印▲５▼，▲５▼の如く促すことができる。従って、よりシール部材７２ｂの耐久性の向上を図ることができる。
【００３４】
螺旋溝１１６は、山頂部１１７を鋭角（例えば、６０°）に形成したので、鋭角な山頂部１１７によって、雌円錐部１０５に巻き付いて締まる草を切断することができる。その結果、雌円錐部１０５に達した草や土の排出の円滑化を図ることができるとともに、草の巻き付きを抑制することができる。
【００３５】
図５に示した通り、耕耘軸シール構造のシールカバー手段１２ｂでは、雌円錐部１０５と雄円錐部１１２との間の間隔は、シール部材７２ｂから遠ざかる方向に向かって狭くするので、螺旋溝１１６（図６参照）によってシール部材７２ｂから遠ざかる方向（矢印▲１▼の方向）に向かって戻された草は狭い縮径部１０８の所で圧縮を受けさらに切断される。その結果、より草の巻き付きを抑制することができるとともに、草の侵入を抑制することができる。
【００３６】
次に、本発明に係る耕耘軸シール構造の別実施の形態を示す。
図７は図６の別実施の形態図であり、上記図４〜図６に示す実施の形態と同様の構成については、同一符号を付し説明を省略する。
雌円錐部１０５Ｂは、外面１１４と端面１２１とでなすエッジ部１２２を鋭角な角度θｅに形成した。角度θｅは、例えば、６０°である。
【００３７】
エッジ部１２２を鋭角に形成することで、エッジ部１２２の全周を切れ刃とする。鋭角なエッジ部１２２を全周に形成すると、より確実に草を切断することができる。すなわち、山頂部１１７で切断できなかった草を最終の端面１２１の所で切断することができ、草の巻き付きをさらに抑制することができるとともに、草の侵入を抑制することができる。
【００３８】
尚、本発明の実施の形態に示した螺旋溝と同様の螺旋溝を回転カバー部材１０１の円板部１０４の外面に形成することも可能である。具体的には、図５の回転カバー部材１０１の回転で異物を円板部１０４の中心側に導く螺旋溝を形成する。その結果、回転カバー部材１０１の円板部１０４の外面に付着した異物の進行を妨げることができる。
固定カバー部材は、支持ケースに取り付けた構成であるが、ほぼ同様の雄円錐部１１２を支持ケースに一体に形成することも可能である。
【００３９】
【発明の効果】
本発明は上記構成により次の効果を発揮する。
請求項１では、シールカバー手段は、耕耘軸に取り付けた回転カバー部材と、支持ケースに取り付けた固定カバー部材とからなり、回転カバー部材は、支持ケースに向かって拡径する雌円錐部を有し、固定カバー部材は、雌円錐部を囲う雄円錐部を有するので、支持ケースに向かって拡径する雌円錐部は、支持ケースに向かって次第に縮径する草の進行の障壁となり、草および草とともに巻き付いた土は侵入し難くなる。従って、シール部材に向けて草や土が侵入するのを抑制することができ、シール部材の耐久性の向上を図ることができる。
【００４０】
請求項２では、耕耘軸を耕耘作業のために回したときに、雌円錐部に対応する雄側が拡径側から縮径側へ進む螺旋溝を雌円錐部の外面に形成したので、回転する螺旋溝によって雌円錐部の外面に達した草や土の排出を促すことができる。従って、よりシール部材の耐久性の向上を図ることができる。
【００４１】
請求項３では、螺旋溝は、山頂部を鋭角に形成したので、鋭角な山頂部によって、雌円錐部に巻き付いて締まる草を切断することができる。その結果、雌円錐部に達した草や土の排出の円滑化を図ることができるとともに、草の巻き付きを抑制することができる。
【００４２】
請求項４では、雌円錐部と雄円錐部との間の間隔は、シール部材から遠ざかる方向に向かって狭くするので、螺旋溝によってシール部材から遠ざかる方向に向かって戻された草は狭い所で圧縮作用を受けさらに切断される。その結果、草の巻き付きをより抑制することができるとともに、草の侵入を抑制することができる。
【００４３】
請求項５では、雌円錐部は、外面と端面とでなすエッジ部を鋭角に形成した形状なので、エッジ部は切れ刃となる。鋭角なエッジ部であればより確実に草を切断することができる。すなわち、山頂部で切断できなかった草を最終の端面の所で切断することができ、草の巻き付きをさらに抑制することができるとともに、草の侵入を抑制することができる。
【図面の簡単な説明】
【図１】本発明に係る耕耘軸シール構造を採用した歩行型ロータリ耕耘機の斜視図
【図２】本発明に係る耕耘機の側面図
【図３】本発明に係る耕耘機の平面図
【図４】図２の４−４線断面図
【図５】図４の５部詳細図
【図６】本発明に係る回転カバー部材の正面図
【図７】図６の別実施の形態図
【図８】従来のロータリ耕耘装置の耕耘爪軸軸支部構造の説明図
【符号の説明】
１０…歩行型ロータリ耕耘機、１２ａ…支持ケース、１２ｂ…シールカバー手段、１５…左のロータリ耕耘装置、１６…右のロータリ耕耘装置、７２…耕耘軸（耕耘筒）、７２ａ…軸受、７２ｂ…シール部材、１０１…回転カバー部材、１０２…固定カバー部材、１０５…雌円錐部、１１２…雄円錐部、１１４…雌円錐部の外面、１１６…螺旋溝、１１７…山頂部、１２１…雌円錐部の端面、１２２…エッジ部、Ｄａ…拡径部の直径、Ｄｓ…縮径部の直径、θｅ…エッジ部の角度、θｍ…山頂部の角度。
【図１】
2004236558.tif 000003
【図２】
2004236558.tif 000004
【図３】
2004236558.tif 000005
【図４】
2004236558.tif 000006
【図５】
2004236558.tif 000007
【図６】
2004236558.tif 000008
【図７】
2004236558.tif 000009
【図８】
2004236558.tif 000010